(57)【要約】      （修正有）【課題】発光部の発光により使用者の存在を外部に示すための表示装置を提供する。【解決手段】表示装置１は、長手方向の長さを調節可能な本体部５と、本体部５に取り付けられた、発光ダイオードを含む発光部３と、発光部３へ電力を供給するための電源部７とを備えている。発光部３は本体部５に対して着脱可能であり、発光部３は、本体部５に取り付けられた場合に発光し、本体部５から取り外された場合に発光を停止することが好ましい。【選択図】図１
0003161530.tif 000002
【実用新案登録請求の範囲】
【請求項１】
長手方向の長さを調節可能な本体部と、
前記本体部に取り付けられた、発光ダイオードを含む発光部と、
前記発光部へ電力を供給するための電源部とを備えた、表示装置。
【請求項２】
前記発光部は前記本体部に対して着脱可能であり、
前記発光部は、前記本体部に取り付けられた場合に発光し、前記本体部から取り外された場合に発光を停止する、請求項１に記載の表示装置。
【請求項３】
前記発光部は、前記本体部を相対的に長い状態とした場合に発光し、前記本体部を相対的に短い状態とした場合に発光を停止する、請求項１に記載の表示装置。
【考案の詳細な説明】
【技術分野】
【０００１】
本考案は表示装置に関し、より特定的には、発光部の発光により使用者の存在を外部に示すための表示装置に関する。
【背景技術】
【０００２】
高速道路上などで自動車が故障した時などには、反射板や発炎筒などの表示装置を故障車の後部の地面に設置するにより、故障車の存在を後続車のドライバーに知らせる必要がある。
【０００３】
この種の表示装置に関して、下記特許文献１には、道路上に配置して発光させる発光標識体が開示されている。下記特許文献１の発光標識体は、スタンドと、スタンドにセットされた携帯用信号表示灯と、携帯用信号表示灯を覆うコーンとを備えている。
【特許文献１】特開平１１―１５８８２４号公報
【考案の開示】
【考案が解決しようとする課題】
【０００４】
しかし、従来の表示装置には利便性が悪いという問題があった。反射板は、受光した光を反射することによって外部へ存在を示すものである。このため、受光光量が少ないと、反射板は外部から見えにくかった。発炎筒は、火薬の燃焼により発生する炎によって存在を外部へ示すものである。発炎筒に含まれる火薬の量には限界があるため、発炎筒の持続時間は短かった。
【０００５】
さらに、特許文献１に記載の発光標識体は、背が低いため遠方から見えにくかった。発光表示体の携帯のし易さなどを考慮すると、特許文献１の発光表示体の背を高くすることには限界があった。
【０００６】
これらの問題は、自動車の故障時に使用される表示装置においてのみ起こり得る問題ではなく、外部に対して存在を示す役割を果たす表示装置全般において生じうる問題であった。
【０００７】
本考案は、上記課題を解決することであり、その目的は、利便性を向上することのできる表示装置を提供することである。
【課題を解決するための手段】
【０００８】
本考案の一の局面に従う表示装置は、長手方向の長さを調節可能な本体部と、本体部に取り付けられた、発光ダイオードを含む発光部と、発光部へ電力を供給するための電源部とを備えている。
【０００９】
上記表示装置において好ましくは、発光部は本体部に対して着脱可能であり、発光部は、本体部に取り付けられた場合に発光し、本体部から取り外された場合に発光を停止する。
【００１０】
上記表示装置において好ましくは、発光部は、本体部を相対的に長い状態とした場合に発光し、本体部を相対的に短い状態とした場合に発光を停止する。
【考案の効果】
【００１１】
本考案によれば、利便性を向上することのできる表示装置を提供することができる。
【図面の簡単な説明】
【００１２】
【図１】本考案の一実施の形態における表示装置の構成を示す斜視図であって、本体部が完全に伸びた状態を示す図である。
【図２】本考案の一実施の形態における表示装置の構成を示す斜視図であって、本体部が完全に縮んだ状態を示す図である。
【図３】表示装置における発光部付近の構成を示す側面図である。
【図４】表示装置における発光部付近の他の構成を示す側面図である。
【図５】本考案の一実施の形態の表示装置が自動車の故障時に使用される場合の、表示装置の使用態様を模式的に示す図である。
【図６】本考案の一実施の形態の表示装置が登山用杖として使用される場合の、表示装置の構成の一例を模式的に示す図である。
【図７】本考案の一実施の形態の表示装置が救助を求めるための道具として使用される場合の、表示装置の使用態様を模式的に示す図である。
【考案を実施するための最良の形態】
【００１３】
以下、本考案の一実施の形態について、図面に基づいて説明する。
【００１４】
［表示装置の構成］
【００１５】
図１および図２は、本考案の一実施の形態における表示装置の構成を示す斜視図である。図１は本体部が完全に伸びた状態を示し、図２は本体部が完全に縮んだ状態を示す。
【００１６】
図１および図２を参照して、本実施の形態における表示装置１は、使用者の存在を外部へ示すためのものであって、発光部３と、本体部５と、電源部７とを備えている。発光部３は、たとえば本体部５の一端に取り付けられており、電源部７は本体部５の内部に設けられている。なお電源部７は外部からは見えないため、図１および図２では点線で示されている。
【００１７】
本体部５は、発光部３から遠ざかるにつれ、その直径が小さくなっている。本体部５は、緩やかなテーパ形状を有する複数の筒状部５ａ〜５ｆを有している。筒状部５ａ〜５ｆの各々は中空であり、筒状部５ａ〜５ｆの各々の中空部分の直径は、発光部３に近い側（以下、発光部側と呼ぶことがある）よりも、発光部３から遠い側（以下、根元側と呼ぶことがある）の方が小さくなっている。
【００１８】
本体部５は、長手方向の長さＬを調節可能である。すなわち、図１に示す本体部５が完全に伸びた状態（長さＬが最も長い状態）では、筒状部５ａの根元側の端部が、筒状部５ｂの発光部側の端部と係合し、それによって、筒状部５ａに対して筒状部５ｂが固定される。本体部５が伸びた状態では、同様の方法により、筒状部５ｂに対して筒状部５ｃが固定され、筒状部５ｃに対して筒状部５ｄが固定され、筒状部５ｄに対して筒状部５ｅが固定され、筒状部５ｅに対して筒状部５ｆが固定される。
【００１９】
一方、図２に示す本体部５が完全に縮んだ状態（長さＬが最も短い状態）では、筒状部５ｆが筒状部５ｅの内部に入り、筒状部５ｅが筒状部５ｄの内部に入り、筒状部５ｄが筒状部５ｃの内部に入り、筒状部５ｃが筒状部５ｂの内部に入り、筒状部５ｂが筒状部５ａの内部に入る。
【００２０】
本体部５の筒状部５ｆを発光部側へ押し込むことにより、本体部の長さＬを短くすることができ、本体部５の筒状部５ｆを根元側へ引っ張ることにより、長さＬを長くすることができる。完全に伸びた状態および完全に縮んだ状態の各々における本体部５の長さＬは、たとえば筒状部の本数や長さなどによって調節可能である。
【００２１】
電源部７は、発光部３と電気的に接続されており、発光部３へ電力を供給する。電源部７は、たとえば乾電池を含んでいる。この乾電池は、たとえば自動車のバッテリーなどから充電可能なものであってもよい。電源部７が乾電池を含んでいる場合、電源部７を覆う本体部５のカバーを着脱可能とすることによって、カバーを外した場合に形成される開口部を通じて乾電池が交換可能であってもよい。また本体部５における発光部側の端部５９（図３）から乾電池が交換可能であってもよい。
【００２２】
図３は、表示装置における発光部付近の構成を示す側面図である。図３では、発光部を本体部から外した状態が示されており、本体部の一部が断面図として示されている。
【００２３】
図３を参照して、発光部３は、フランジ部１１と、反射鏡１３と、発光ダイオード（ＬＥＤ）１５と、ケース１７とを含んでいる。フランジ部１１とケース１７とによって構成された密閉空間内に、反射鏡１３および発光ダイオード１５が設けられている。発光ダイオード１５はフランジ部１１上に固定されており、電源部７からの電力により発光する。発光ダイオード１５は常時点灯してもよいし、一定の時間間隔で点滅してもよい。反射鏡１３は、発光ダイオード１５の一部の周囲を取り囲んでいる。発光ダイオード１５の光は反射鏡１３によって反射されて略水平な方向に照射される。反射鏡１３は、発光ダイオード１５の位置を含み本体部５の長手方向に延びる軸を中心として、フランジ部１１に対して回転可能とされている。これにより、発光ダイオード１５から照射される光は、発光ダイオード１５を中心として３６０度回転する。発光ダイオード１５によって表示装置１は、使用者の存在を光によって外部へ示すことが可能となる。
【００２４】
発光部３は、スピーカ２１をさらに備えていてもよい。スピーカ２１は、たとえばフランジ部１１の側面に設けられている。スピーカ２１は、電源部７から電力によりサイレン音などの音声を発生する。スピーカ２１によって表示装置１は、使用者の存在を音声によって外部へ示すことが可能となる。
【００２５】
発光部３は本体部５に対して着脱可能であってもよい。この場合、発光部３は雄ねじ部２３と導電性の端子２５とをさらに含んでおり、本体部５は雌ねじ部５３と導電性の端子５５とをさらに含んでいてもよい。なお、端子２５は外部から見えない位置にあるため、図３では点線で示されている。発光部３を本体部５に取り付ける際には、発光部３の雄ねじ部２３が本体部５の雌ねじ部５３に螺合される。これにより、端子２５と端子５５とが導通して電源部７から発光部３に電力が供給される。その結果、発光ダイオード１５が発光し、スピーカ２１から音声が発生する。発光部３を本体部５から取り外す際には、発光部３の雄ねじ部２３を本体部５の雌ねじ部５３から外す。これにより、端子２５と端子５５との導通が切断されて電源部７から発光部３への電力の供給が停止される。その結果、発光ダイオード１５の発光が停止し、スピーカ２１から音声が停止する。なお、上述の雄ねじ部および雌ねじ部の構成の代わりに、本体部５に雄ねじ部が形成され、発光部３に雌ねじ部が形成されてもよい。
【００２６】
本体部５はスイッチ５１をさらに含んでいてもよい。この場合には、発光部３を本体部５へ取り付けた状態であっても、スイッチ５１のオン・オフにより発光部３の発光の制御が可能となる。
【００２７】
本実施の形態における発光部は、図３に示す回転灯の構成の代わりに、図４に示す点滅灯の構成であってもよい。図４は、表示装置における発光部付近の他の構成を示す側面図である。図４では、発光部を本体部から外した状態が示されており、本体部における発光部側の一部が断面図として示されている。
【００２８】
図４を参照して、発光部３は、複数の発光ダイオード１５ａ〜１５ｄと、ケース２９とを含んでいる。発光ダイオード１５ａ〜１５ｄの各々は、図４中横方向に延在する円筒形状のケース２９に取り付けられており、図４中左側から右側に向かってこの順序で並んでいる。発光ダイオード１５ｂ〜１５ｄの各々は、電源部７から電力が供給されると、たとえば発光ダイオード１５ｂ→発光ダイオード１５ｃ→発光ダイオード１５ｄの順に一定の時間周期で点滅する。これにより、ケース２９の長手方向に沿って光が移動するように見え、表示装置１は、使用者の存在をより強調して外部へ示すことが可能となる。また発光ダイオード１５ａは、たとえば発光ダイオード１５ｂ〜１５ｄの各々の上記点滅と同時に、図４中左方向へ連続的に点灯する。これにより表示装置１は特定の方向に強い光を放射することができる。発光部３の点灯モードは、ダイオード１５ａのみが連続的に点灯するモードと、発光ダイオード１５ｂ〜１５ｄの各々のみが点滅するモードと、ダイオード１５ａが連続的に点灯し、それと同時に発光ダイオード１５ｂ〜１５ｄの各々が点滅するモードとの間で、スイッチ５１により切り替え可能であってもよい。さらに、発光部３が図４の構成を有する場合、発光部３が把持されることにより、杖（ステッキ）として表示装置１が使用されてもよい。なお、これ以外の発光部３および本体部５の構成は、図３に示すものと同様であるため、同一の部材には同一の符号を付し、その説明は繰り返さない。
【００２９】
［表示装置の使用態様］
【００３０】
続いて、本実施の形態における表示装置の使用態様について説明する。
【００３１】
本実施の形態における表示装置は、たとえば、高速道路上において自動車が故障した場合に、自動車のトランクなどから取り出されて、図５に示す使用態様で使用される。
【００３２】
図５は、本考案の一実施の形態の表示装置が自動車の故障時に使用される場合の、表示装置の使用態様を模式的に示す図である。
【００３３】
図５を参照して、故障した自動車８５は、たとえば、高速道路の路肩などに停車されている。表示装置１は、本体部５を完全に伸ばして発光部３を掲げた状態で、自動車８５の運転席側（図中左側）の側部に固定されている。表示装置１は、運転席側の窓８３を介して、たとえばゴム紐９０などにより運転席のヘッドレスト８１に括り付けられている。発光部３は、本体部５に取り付けられることにより（またはスイッチ５１をオンにすることにより）、発光した状態とされる。また、発光部３の発光とともに、スピーカ２１からは音声が発生される。発光部３の発光およびスピーカ２１からの音声により、高速道路の本線車線を走る後続車のドライバーに対して、前方に故障した自動車８５が停車していることを表示装置１は知らせる。
【００３４】
表示装置１が上記のように自動車の故障時に使用されるものである場合、トランクへの収納の容易性を考慮して、完全に縮んだ場合の本体部５の長さＬ（図１）は０．２ｍ〜０．５ｍ程度であることが好ましい。また遠方からの見えやすさや表示装置１の安定性を考慮して、完全に伸びた場合の本体部５の長さＬは２．０ｍ〜３．０ｍ程度であることが好ましい。
【００３５】
図６は、本考案の一実施の形態の表示装置が登山用杖として使用される場合の、表示装置の構成の一例を模式的に示す図である。
【００３６】
図６を参照して、本実施の形態における表示装置１が杖として使用される場合には、本体部５が完全に縮んだ状態で、根元側が地面に突かれる。これにより、登山の際に使用者の足腰の疲労を軽減することができるとともに、暗い登山道を歩く場合や、夜間にテント設営などの作業をする際に、発光部３の光を照明として用いることが可能である。杖としての使用態様の場合には、表示装置１は上述の構成の他に、リング６１と、グリップ（把持部）６３とをさらに備えていてもよい。使用者は、リング６１から腕を通してグリップ６３を握ることにより、表示装置１を保持しやすくなる。なお、杖としての使用態様に鑑みて、完全に縮んだ場合の本体部５の長さＬは０．７ｍ〜１．２ｍ程度であることが好ましい。
【００３７】
図７は、本考案の一実施の形態の表示装置が救助を求めるための道具として使用される場合の、表示装置の使用態様を模式的に示す図である。
【００３８】
図７を参照して、万が一登山中に遭難した場合、使用者１００は、救助を求めるための道具として図６に示す杖を使用することができる。この場合使用者１００は、本体部５を伸ばした状態として本体部５の根元側端部を持ち、発光部３が樹木の間から突き出るように掲げる。これにより、使用者１００は、表示装置１を用いて自分の位置を他者へ知らせることができ、それにより救助を求めることが可能である。なお、遭難時の使用態様に鑑みて、完全に伸びた状態の本体部の長さＬは２ｍ〜４ｍ程度であることが好ましい。
【００３９】
さらに、図６および図７に示す杖は、登山用のみならず老人用の杖として使用されてもよい。この場合には、使用者の足腰の疲労を軽減することができるとともに、暗い道を歩く場合に発光部３の光が懐中電灯としての役割を果たす。その結果使用者は、杖を一方の手に持ちつつ懐中電灯を他方の手に持つ必要がなくなり、片手が自由な状態で歩行することができる。
【００４０】
また、使用者が一人暮らしである場合であって、万が一使用者の体調に異変が生じ、自分の部屋から動けない状態となったときは、使用者は、救助を求めるための道具として図６および図７に示す杖を使用することができる。この場合使用者１００は、図７に示す使用態様と同様に、自分の部屋において本体部５を伸ばした状態として根元側を持ち、自分の部屋の窓から発光部３が外部へ突き出るように発光部３を掲げる。これにより使用者１００は、自分の部屋で何らかの異常が起きていることを、表示装置１を用いて部屋の外部に居る人へ知らせることができ、それにより救助を求めることが可能である。
【００４１】
［実施の形態の効果］
【００４２】
本実施の形態によれば、本体部が伸縮可能であるので、本体部を伸ばした状態で発光部を掲げることで、使用者の存在が外部から見え易くなる。また発光ダイオードは消費電力が小さいため、長時間にわたって使用者の存在を外部に示すことができる。従って、表示装置の利便性を向上することができる。
【００４３】
また、発光部は本体部に対して着脱可能であり、発光部は、本体部に取り付けられた場合に発光し、本体部から取り外された場合に発光を停止するので、表示装置の使用時に発光部を容易に発光させることができる。
【００４４】
［その他］
【００４５】
上記実施の形態においては、電源部が本体部の内部に設けられる場合について示したが、電源部は発光部の内部に設けられていてもよい。また発光部は、本体部のいずれの場所に取り付けられていてもよい。
【００４６】
本考案の表示装置は、長手方向の長さを調節可能な本体部と、本体部に取り付けられた、発光ダイオードを含む発光部と、発光部へ電力を供給するための電源部とを備えていればよく、これ以外の構成は必要に応じて追加されるものである。たとえば発光部が本体部に対し着脱可能ではなく完全に固定されていてもよい。この場合、発光部の発光の制御はスイッチによって行われてもよい。また発光部は、本体部を相対的に伸びた状態とした場合に発光し、本体部を相対的に縮んだ状態とした場合に発光を停止するように制御されてもよい。このような制御回路は電源部に含まれていてもよい。
【００４７】
また上記実施の形態における本体部や発光部の形状は一例であり、これらの形状は適宜変更することが可能である。たとえば本体部が三脚の形状とされてもよい。この場合には、車へ固定するための部材を用いることなく発光部を掲げることができる。
【００４８】
上記実施の形態においては、本体部を構成する筒状部の直径を段階的に小さくすることにより、本体部を伸縮可能とする場合について示したが、本考案の本体部を伸縮可能にするための構成は、上記のものに限定されない。たとえば本体部は、本体部に内蔵されたバネと、バネを伸ばした状態でロックするためのロック部材とを含んでいてもよい。この場合本体部は、バネの収縮力によって縮んだ状態とされ、バネを伸ばした状態でロック部材によりロックすることで、伸びた状態とされてもよい。さらに、本体部を構成する複数の筒状部の各々が雄ねじと雌ねじとの螺合により互いに接続されていてもよい。この場合には、筒状部同士の螺合の度合いを変えることにより、本体部の長さを連続的に調節することができる。またこの場合には、本体部の強度が向上するので、本体部に負荷が加わるような態様で表示装置が使用される場合（たとえば図４において説明したように、杖などとして表示装置が使用される場合）に、特に有利である。
【００４９】
上記実施の形態においては、本体部に取り付けられた場合に発光部が発光し、本体部から取り外された場合に発光部が発光を停止する構成について示した。しかし本実施の形態の表示装置は、このような構成の代わりに、本体部を相対的に長い状態とした場合に発光部が発光し、本体部を相対的に短い状態とした場合に発光部が発光を停止してもよい。
【００５０】
上記実施の形態は、すべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【符号の説明】
【００５１】
１  表示装置
３  発光部
５  本体部
５ａ〜５ｆ  筒状部
７  電源部
１１  フランジ部
１３  反射鏡
１５，１５ａ〜１５ｄ  発光ダイオード
１７，２９  ケース
２１  スピーカ
２３  雄ねじ部
２５，５５  端子
５１  スイッチ
５３  雌ねじ部
５９  本体部の端部
６１  リング
６３  グリップ
８１  ヘッドレスト
８３  窓
８５  自動車
９０  ゴム紐
１００  使用者
【図１】
0003161530.tif 000003
【図２】
0003161530.tif 000004
【図３】
0003161530.tif 000005
【図４】
0003161530.tif 000006
【図５】
0003161530.tif 000007
【図６】
0003161530.tif 000008
【図７】
0003161530.tif 000009